(57)【特許請求の範囲】
【請求項１】
表示装置と、
見出し語と当該見出し語に対応する画像を含む説明情報と該画像の色情報とを対応付けて記憶している辞書記憶手段と、
文字が入力される文字入力エリアと色が入力される色入力エリアを前記表示装置に表示する入力エリア表示手段と、
色見本を表示する色見本表示手段と、
ユーザによって前記色見本から色が指定された際に、前記文字入力エリアが選択された場合には、指定された色見本の色を当該色を表す文字に変換して前記文字入力エリアに入力し、前記色入力エリアが選択された場合には、指定された色見本の色を前記色入力エリアに入力する色入力手段と、
前記文字入力エリアに色を表す文字が入力されることにより、前記辞書記憶手段に記憶された説明情報から前記色を表す文字をテキスト検索するテキスト検索手段と、
前記色入力エリアに色が入力されることにより、前記辞書記憶手段に記憶された色情報から前記入力された色を検索する指定色検索手段と、
前記テキスト検索手段により検索された説明情報および前記指定色検索手段により検索された色情報に対応する画像を含む説明情報を前記表示装置に出力する検索情報出力手段と、
を備えたことを特徴とする情報検索装置。
【請求項２】
前記文字入力エリアに対し、ユーザ操作に応じて任意の文字を入力する文字入力手段と、
この文字入力手段により入力された文字を含む見出し語および説明情報を前記辞書記憶手段により記憶された見出し語および説明情報の全テキストの中から検索し、当該検索された説明情報の中から、前記色入力手段により前記色入力エリアに入力された色に応じた色情報に対応付けられた説明情報を検索する複合検索手段とを備え、
前記検索情報出力手段は、前記複合検索手段により検索された説明情報を出力する、
ことを特徴とする請求項１に記載の情報検索装置。
【請求項３】
メイン画面とサブ画面とを備え、
前記色見本表示手段は、多色の色見本を前記サブ画面に表示させ、
前記検索情報出力手段は、検索された説明情報を前記メイン画面に表示させる、
ことを特徴とする請求項１または２に記載の情報検索装置。
【請求項４】
見出し語と当該見出し語に対応する画像を含む説明情報と該画像の色情報とを対応付けた辞書データを記憶している記憶部と表示部を備えた電子機器のコンピュータを制御するためのプログラムであって、
前記コンピュータを、
文字が入力される文字入力エリアと色が入力される色入力エリアを前記表示部に表示する入力エリア表示手段、
色見本を表示する色見本表示手段、
ユーザによって前記色見本から色が指定された際に、前記文字入力エリアが選択された場合には、指定された色見本の色を当該色を表す文字に変換して前記文字入力エリアに入力し、前記色入力エリアが選択された場合には、指定された色見本の色を前記色入力エリアに入力する色入力手段、
前記文字入力エリアに色を表す文字が入力されることにより、前記記憶部に記憶された辞書データの説明情報から前記色を表す文字をテキスト検索するテキスト検索手段、
前記色入力エリアに色が入力されることにより、前記記憶部に記憶された辞書データの色情報から前記入力された色を検索する指定色検索手段、
前記テキスト検索手段により検索された説明情報および前記指定色検索手段により検索された色情報に対応する画像を含む説明情報を前記表示部に出力する検索情報出力手段、
として機能させるためのプログラム。
【発明の詳細な説明】
【技術分野】
【０００１】
本発明は、辞書情報を検索して出力するための情報検索装置およびその制御プログラムに関する。
【背景技術】
【０００２】
近年、電子辞書装置の表示画面はカラー化されている。このため、辞書のコンテンツもカラー化されており、写真や絵などの画像を主な説明情報とする図鑑等のコンテンツも備えられている。
【０００３】
通常、辞書データは、見出し語とその説明情報とが対応付けられて記憶されており、ユーザが文字で入力した検索語と一致する見出し語が検索され、この検索された見出し語からその説明情報が読み出されて表示される。
【０００４】
前記図鑑等の辞書データを指定して、ある画像を検索して見たい場合に、当該画像の名称（見出し語）が分かれば、検索語を入力して見出し語検索し、その見出し語の説明情報として対応付けられている画像を読み出して表示させることができる。
【０００５】
しかしながら、見たい画像が分かっていてもその名称が分からない場合には、見出し語を順次検索したり推定して検索したりするしかなく、当該画像を簡単に検索することができない。
【０００６】
コンピュータを利用した色指定システムにおいて、表示装置の画面上にカラーパレットを表示させてユーザが任意の色を指定可能にすることが考えられている（例えば、特許文献１参照。）。
【先行技術文献】
【特許文献】
【０００７】
【特許文献１】特開２００２−０７４３８０号公報
【発明の概要】
【発明が解決しようとする課題】
【０００８】
本発明の目的は、図鑑等の辞書データに含まれる写真や絵などの画像を簡単に検索することが可能になる情報検索装置およびその制御プログラムを提供することにある。
【課題を解決するための手段】
【０００９】
本発明に係る情報検索装置は、表示装置と、見出し語と当該見出し語に対応する画像を含む説明情報と該画像の色情報とを対応付けて記憶している辞書記憶手段と、文字が入力される文字入力エリアと色が入力される色入力エリアを前記表示装置に表示する入力エリア表示手段と、色見本を表示する色見本表示手段と、ユーザによって前記色見本から色が指定された際に、前記文字入力エリアが選択された場合には、指定された色見本の色を当該色を表す文字に変換して前記文字入力エリアに入力し、前記色入力エリアが選択された場合には、指定された色見本の色を前記色入力エリアに入力する色入力手段と、前記文字入力エリアに色を表す文字が入力されることにより、前記辞書記憶手段に記憶された説明情報から前記色を表す文字をテキスト検索するテキスト検索手段と、前記色入力エリアに色が入力されることにより、前記辞書記憶手段に記憶された色情報から前記入力された色を検索する指定色検索手段と、前記テキスト検索手段により検索された説明情報および前記指定色検索手段により検索された色情報に対応する画像を含む説明情報を前記表示装置に出力する検索情報出力手段と、を備えたことを特徴としている。
【発明の効果】
【００１０】
本発明によれば、図鑑等の辞書データに含まれる写真や絵などの画像を簡単に検索することが可能になる情報検索装置およびその制御プログラムを提供できる。
【図面の簡単な説明】
【００１１】
【図１】本発明の情報検索装置の実施形態に係る電子辞書装置１０の外観構成を示す正面図。
【図２】前記電子辞書装置１０の電子回路の構成を示すブロック図。
【図３】前記電子辞書装置１０の辞書データベース２２ｂに記憶される図鑑辞書２２ｂ４のデータ構造を示す図。
【図４】前記電子辞書装置１０において図鑑辞書２２ｂ４を検索対象の辞書に指定した場合の図鑑検索処理を示すフローチャート。
【図５】前記電子辞書装置１０の図鑑検索処理に伴いタッチパネル式表示部１６に初期表示される検索語入力画面Ｇを示す図。
【図６】前記電子辞書装置１０の図鑑検索処理に伴い［複合検索］の入力方式を選択した場合に初期表示されるタッチパネル式表示部（メイン画面）１６の複合検索入力画面Ｇｆおよび手書き入力部（サブ画面）１５のカラーパレットＣＰを示す図。
【図７】前記タッチパネル式表示部（メイン画面）１６の複合検索入力画面Ｇｆにおけるキーワード入力エリアＥｋに入力されたキーワードと色入力エリアＥｃに入力された色の具体例を示す図。
【図８】前記電子辞書装置１０の図鑑検索処理に伴う複合検索処理を示すフローチャート。
【発明を実施するための形態】
【００１２】
以下図面により本発明の実施の形態について説明する。
【００１３】
図１は、本発明の情報検索装置の実施形態に係る電子辞書装置１０の外観構成を示す正面図である。
【００１４】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１５】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る］キー１４ｄ、カーソルキー１４ｅ、ページ送りキー１４ｆなどを備えたキー入力部（キーボード）１４、および手書き入力部（サブ画面）１５が備えられる。
【００１６】
この手書き入力部（サブ画面）１５は、ユーザがペンや指等でタッチした位置を検出するタッチ位置検出装置と表示装置が一体となった構造であり、キー入力部１４の中央手前側において例えば２５６×６４ドットのバックライト付きカラー液晶表示画面１５ｄに透明タッチパネル１５ｔを重ねて構成される。この手書き入力部１５の入力領域は、必要に応じて、手書き文字を入力するための手書き文字入力領域や各種機能のキー入力領域、あるいは当該各入力領域が混在する領域、あるいは色を指定するためのカラーパレットＣＰ（図６参照）に切り替えられる。
【００１７】
そして、前記手書き入力部１５が手書き文字入力領域に切り替えられた状態での手書き入力に伴う軌跡はそのバックライト付きカラー液晶表示画面１５ｄにエコーバックして表示される。
【００１８】
また蓋体ケース１２の表面には、そのほぼ全面を対象に例えば４８０×３２０ドットのバックライト付きのタッチパネル式表示部（メイン画面）１６が設けられる。このタッチパネル式表示部（メイン画面）１６も、前記手書き入力部（サブ画面）１５と同様に、ユーザがペンや指等でタッチした位置を検出するタッチ位置検出装置と表示装置が一体となった構造であり、そのバックライト付きカラー液晶表示画面１６ｄに透明タッチパネル１６ｔを重ねて構成される。
【００１９】
図２は、前記電子辞書装置１０の電子回路の構成を示すブロック図である。
【００２０】
この電子辞書装置１０は、各種の記憶媒体に記録されたプログラムを読み込んで、その読み込んだプログラムによって動作が制御されるコンピュータによって構成され、その電子回路には、ＣＰＵ(central processing unit)２１が備えられる。
【００２１】
ＣＰＵ２１は、記憶装置２２内に予め記憶された装置制御プログラム２２ａ、あるいはＲＯＭカードなどの外部記憶媒体２３から記憶媒体読み書き部２４を介して前記記憶装置２２に読み込まれた装置制御プログラム２２ａ、あるいはインターネットＮ上のＷｅｂサーバ（この場合はプログラムサーバ）３０から外部インターフェイス２５を介して前記記憶装置２２に読み込まれた装置制御プログラム２２ａに応じて、ＲＡＭ２６を作業用メモリとして回路各部の動作を制御する。
【００２２】
前記記憶装置２２に記憶された装置制御プログラム２２ａは、キー入力部１４、手書き入力部（サブ画面）１５、タッチパネル式表示部（メイン画面）１６からのユーザ操作に応じた入力信号、あるいは外部インターフェイス２５を介して接続されるインターネットＮ上の各Ｗｅｂサーバ３０…との通信信号に応じて起動される。
【００２３】
このように、前記ＣＰＵ２１には、前記記憶装置２２、記憶媒体読み書き部２４、外部インターフェイス２５、ＲＡＭ２６、キー入力部１４、手書き入力部（サブ画面）１５、タッチパネル式表示部（メイン画面）１６が接続される。
【００２４】
記憶装置２２には、装置制御プログラム２２ａとして、当該電子辞書装置１０の全体の動作を司るシステムプログラムや外部インターフェイス２５を介してインターネットＮ上の各Ｗｅｂサーバ３０…や図示しないユーザＰＣ(Personal Computer)などとデータ通信するための通信プログラム等が記憶される。また他に、辞書機能における手書き文字の入力・認識処理、検索語入力処理、検索語に対応した見出し語検索処理、検索見出し語の一覧表示処理、カーソルにより指定された見出し語に対応する訳語・意味内容・例文（用例）などの各種説明情報の読み出し表示処理、検索色入力処理、検索色に対応した画像検索処理、検索画像の読み出し表示処理、前記検索語と検索色に対応した複合検索処理など、同記憶装置２２内に記憶された辞書データベース２２ｂに基づく検索・表示処理全般を制御するための辞書検索プログラムが記憶される。
【００２５】
辞書データベース２２ｂには、例えば日本語の見出し語に対応付けて日本語の説明情報が記述された［国語辞書］２２ｂ１、英語の見出し語（単語）に対応付けて日本語の説明情報が記述された［英和辞書］２２ｂ２、日本語の見出し語（単語）に対応付けて英語の説明情報が記述された［和英辞書］２２ｂ３、絵や写真などのカラー画像がその名称（見出し語）に対応付けられて集録された［図鑑辞書］２２ｂ４をはじめ、複数種類の辞書データが予め記憶されるかあるいはダウンロードされて記憶される。
【００２６】
図３は、前記電子辞書装置１０の辞書データベース２２ｂに記憶される図鑑辞書２２ｂ４のデータ構造を示す図である。
【００２７】
この図鑑辞書２２ｂ４には、様々な事物，動植物，人物の名称（見出し語）に対応付けられて、その画像（絵や写真）と解説が説明情報として記憶されるもので、個々の説明情報には、その物の種類を表す情報（〜類／〜目／〜科、等）と共に、ＨＳＶ色空間で表現される該当画像の色情報も対応付けられて記憶される。
【００２８】
ＨＳＶ色空間は、色相(Hue)、彩度(Saturation-Chroma)、明度(Brightness-Lightness-Value)の３つの成分からなり、ＲＧＢ色空間の非線形変換である。
【００２９】
また、前記ＲＡＭ２６には、表示データメモリ２６ａ、検索データメモリ２６ｂが確保される。
【００３０】
表示データメモリ２６ａには、前記タッチパネル式表示部（メイン画面）１６や手書き入力部（サブ画面）１５に表示させる表示データがビットマップパターンに展開されて記憶される。
【００３１】
検索データメモリ２６ｂには、検索語入力画面Ｇ（図５参照）に従い文字入力された検索語に応じて見出し語検索された見出し語、複合検索入力画面Ｇｆ（図６参照）に従い文字入力されたキーワードに応じて全文検索されたところの見出し語、同複合検索入力画面Ｇｆに従いカラーパレットＣＰ（図６参照）を使用して指定された色に応じて色情報検索たれたところの見出し語等が検索データとして記憶される。
【００３２】
このように構成された電子辞書装置１０は、ＣＰＵ２１が前記装置制御プログラム２２ａ（手書き文字の入力・認識処理、検索語入力処理、検索語に対応した見出し語検索処理、検索見出し語の一覧表示処理、カーソルにより指定された見出し語に対応する各種説明情報の読み出し表示処理、検索色入力処理、検索色に対応した画像検索処理、検索画像の読み出し表示処理、前記検索語と検索色に対応した複合検索処理等を実行するためのプログラムを含む）に記述された命令に従い回路各部の動作を制御し、ソフトウエアとハードウエアとが協働して動作することにより、以下の動作説明で述べる機能を実現する。
【００３３】
次に、前記構成による電子辞書装置１０の動作について説明する。
【００３４】
図４は、前記電子辞書装置１０において図鑑辞書２２ｂ４を検索対象の辞書に指定した場合の図鑑検索処理を示すフローチャートである。
【００３５】
図５は、前記電子辞書装置１０の図鑑検索処理に伴いタッチパネル式表示部１６に初期表示される検索語入力画面Ｇを示す図である。
【００３６】
図６は、前記電子辞書装置１０の図鑑検索処理に伴い［複合検索］の入力方式を選択した場合に初期表示される複合検索入力画面Ｇｆおよび手書き入力部（サブ画面）１５のカラーパレットＣＰを示す図である。
【００３７】
辞書指定キー１４ｂのユーザ操作に応じて図鑑辞書２２ｂ４（図３参照）が指定されると、図４における図鑑検索処理が起動され、まず、図５に示すように、タッチパネル式表示部（メイン画面）１６に、［日本語］と［英語］の各検索文字入力エリアＥｊ，Ｅｅ、キーワードと色に基づき辞書検索するための［複合検索］の選択項目Ｋｆを配してなる検索語入力画面Ｇが表示される（ステップＳ１）。
【００３８】
このとき、手書き入力部（サブ画面）１５には、手書き文字入力エリアＮ１，Ｎ２と［訂正］キーＴが表示される。
【００３９】
前記検索語入力画面Ｇにおいて、入力方式として、反転カーソルＨにより［日本語］又は［英語］の検索文字入力エリアＥｊ（又はＥｅ）が選択された場合は（ステップＳ２，Ｓ３（日本語、英語））、この選択された検索文字入力エリアＥｊ（又はＥｅ）に対して、文字入力キー１４ａあるいは手書き入力部１５からの文字入力によりユーザ所望の検索語が入力される（ステップＳ４）。
【００４０】
すると、前記入力された日本語又は英語の検索語と先頭一致する前記図鑑辞書２２ｂ４内の見出し語（名称）のテキストが検索され（ステップＳ５）、この検索により抽出された見出し語（名称）の一覧がタッチパネル式表示部（メイン画面）１６に表示される（ステップＳ６）。
【００４１】
これに伴い、手書き入力部（サブ画面）１５には、図６に示すように、カラーパレットＣＰが表示される（ステップＳ７）。カラーパレットＣＰは、多色に渡る色合いがグラデーションで表された色見本であり、横軸方向に色相、縦軸方向に彩度と明度の変化を持たせたものである。なお、カラーパレットは横軸方向に色相、縦軸方向に彩度の変化を持たせ、所定のキー操作で明度を変化させるようにしても良いし、長手方向に明度が変化する表示体を別途表示して、明度についてはこれを指定するようにしても良い。
【００４２】
ここで、前記カラーパレットＣＰに対するタッチ操作により、ユーザが調べようとしている物の色が指定されると（ステップＳ８（Ｙｅｓ））、指定された色のＲＧＢ値がＨＳＶ値に変換され、前記一覧表示された見出し語（名称）の中から、前記変換されたＨＳＶ値に対応した色情報を有する見出し語（名称）が絞り込まれる（ステップＳ９）。
【００４３】
そして、この絞り込まれた後の見出し語（名称）の一覧がタッチパネル式表示部（メイン画面）１６に表示される（ステップＳ６）。
【００４４】
前記タッチパネル式表示部（メイン画面）１６に表示された見出し語（名称）の一覧において、ユーザ所望の見出し語（名称）が選択されると（ステップＳ１０）、選択された見出し語（名称）に対応付けられて前記図鑑辞書２２ｂ４に記憶されている画像および解説からなる説明情報が読み出され、タッチパネル式表示部（メイン画面）１６に表示される（ステップＳ１１）。
【００４５】
これにより、ユーザ所望の検索語と一致する見出し語（名称）が検索されて一覧表示されるだけでなく、カラーパケットＣＰにより所望の色を指定することで、前記一覧表示された見出し語（名称）が、前記指定の色に応じた色情報を有するところの見出し語（名称）に絞り込まれて再表示される。このため、所望の画像を説明情報として有している図鑑（２２ｂ４）の見出し語（名称）を効率良く検索し、当該画像を簡単に表示させることができる。
【００４６】
一方、前記図５で示した検索語入力画面Ｇの表示状態において（ステップＳ１）、入力方式として、反転カーソルＨにより［複合検索］の選択項目Ｋｆが選択され、複合検索が指定された場合は（ステップＳ２，Ｓ３（複合検索））、図６に示すように、タッチパネル式表示部（メイン画面）１６にキーワード入力エリアＥｋと色入力エリアＥｃとを配した複合検索入力画面Ｇｆが表示される（ステップＳ１２）。また、手書き入力部（サブ画面）１５にはカラーパレットＣＰが表示される（ステップＳ１３）。
【００４７】
複合検索入力画面Ｇｆが表示されると、キーワード入力エリアＥｋに対する入力があったか判断され、入力があった場合は（ステップＳ１４（Ｙｅｓ））、文字の入力であるかカラーパレットＣＰによる入力であるか判断される（ステップＳ１５、Ｓ１８）。ここで、文字が入力されたと判断されると（ステップＳ１５（Ｙｅｓ））、その文字がキーワード入力エリアＥｋに入力されて表示される（ステップＳ１６）。
【００４８】
カラーパレットＣＰからの入力と判断されると（ステップＳ１８（Ｙｅｓ））、指定位置のＲＧＢ値に応じて認識される色が文字に変換され（ステップＳ１９）、キーワード入力エリアＥｋに色を示す文字が入力されて表示される（ステップＳ２０）。
【００４９】
例えば、文字入力キー１４ａの操作に応じて、「魚」の文字が入力された場合は（ステップＳ１５（Ｙｅｓ））、図７（Ａ）に示すように、キーワード入力エリアＥｋに「魚」の文字が表示される（ステップＳ１６）。
【００５０】
また、カラーパレットＣＰのタッチ操作に応じて、例えば青色の位置が指定された場合は（ステップＳ１８（Ｙｅｓ））、当該指定位置のＲＧＢ値に応じて認識される青色が「青」の文字に変換され（ステップＳ１９）、図７（Ｂ）に示すように、キーワード入力エリアＥｋに「青」の文字が追加されて表示される（ステップＳ２０）。
【００５１】
ここで、前記キーワード入力エリアＥｋにキーワードを入力した後に［訳／決定］キー１４ｃが操作されると（ステップＳ１７（Ｙｅｓ））、複合検索処理へ移行される（ステップＳＡ）。図８は、複合検索処理を示すフローチャートである。
【００５２】
この複合検索処理において、前記複合検索入力画面Ｇｆにて入力された内容が、キーワード入力エリアＥｋに入力された文字のみであると判断されると（ステップＡ１（Ｙｅｓ））、前記図鑑辞書２２ｂ４（図３参照）に記憶されている全ての見出し語（名称）および説明情報のテキストを対象に、当該キーワードの文字を用いた全文検索が実行され、キーワードが含まれるところの見出し語（名称）が抽出される（ステップＡ２）。例えば、図７（Ｂ）のようにキーワード入力エリアＥｋに入力された文字が「魚」「青」のみの場合は、両者を含む「あじ」「さんま」等の情報が抽出される。
【００５３】
すると、前記図鑑辞書２２ｂ４から抽出された見出し語（名称）の一覧（例えば「あじ」「さんま」…）が前記タッチパネル式表示部（メイン画面）１６に表示される（ステップＡ３）。この見出し語（名称）の一覧において、ユーザ所望の見出し語（名称）（例えば「あじ」）が選択されると（ステップＡ４）、選択された見出し語（名称）「あじ」に対応付けられて記憶されている「あじ」の画像および解説からなる説明情報が読み出され、タッチパネル式表示部（メイン画面）１６の全画面に表示される（ステップＡ５）。
【００５４】
これにより、［複合検索］を選択した場合のキーワード入力エリアＥｋに対しては、文字入力キー１４ａの操作により所望の文字を直接入力できるだけでなく、カラーパレットＣＰ上の所望の色の位置を指定することで、当該指定された色を文字として入力することができ、この入力された各文字をキーワードとして指定の辞書を全文検索することができる。
【００５５】
一方、複合検索入力画面Ｇｆの表示状態（ステップＳ１２、Ｓ１３）で、ユーザが色入力エリアＥｃを反転カーソルＨにより選択し、色入力が指定されると（ステップＳ２１（Ｙｅｓ））、カラーパレットＣＰのタッチ操作に色の入力が行われる（ステップＳ２２）。そしてタッチ指定された位置の色（ＲＧＢ値）に応じた色の画像データが、色入力エリアＥｃに入力されて表示される（ステップＳ２３）。例えば、図７（Ａ）の状態から色入力エリアＥｃを指定して、カラーパレットＣＰ上の青色の位置が指定されると、当該指定位置のＲＧＢ値に応じて認識される青色の画像データが、図７（Ｃ）に示すように色入力エリアＥｃに入力されて表示される。
【００５６】
ここで、前記キーワード入力エリアＥｋに入力した文字「魚」および前記色入力エリアＥｃに入力した青色により辞書検索すべく［訳／決定］キー１４ｃが操作されると（ステップＳ１７（Ｙｅｓ））、図８における複合検索処理へ移行される（ステップＳＡ）。
【００５７】
この複合検索処理において、前記複合検索入力画面Ｇｆにて入力された内容が、キーワード入力エリアＥｋに入力された文字「魚」および色入力エリアＥｃに入力した色「青色」の両方であると判断されると（ステップＡ１（Ｎｏ）→Ａ６（Ｎｏ））、先ず、前記図鑑辞書２２ｂ４（図３参照）に記憶されている全ての見出し語（名称）および説明情報のテキストを対象に、当該キーワードの文字「魚」が含まれるところの見出し語（名称）（例えば「あじ」「ひらめ」「さんま」…）が全文検索される（ステップＡ７）。
【００５８】
すると次に、前記色入力エリアＥｃに入力された色「青色」の色情報（ＨＳＶ値）に基づき、前記キーワードの文字「魚」のみにより検索された見出し語（名称）（「あじ」「ひらめ」「さんま」…）が絞り込まれる（ステップＡ８）。
【００５９】
具体的には、カラーパレットＣＰで指定された青色のＲＧＢ値が、例えばＲ＝４４，Ｇ＝６１，Ｂ＝１４３であり、これを非線形変換したＨＳＶ値が、Ｈ＝２３０°，Ｓ＝６９％，Ｖ＝５６％となったとする。そして、図鑑辞書２２ｂ４に記憶されている「あじ」の色情報（ＨＳＶ＝２４１，３１，５７）、「ひらめ」の色情報（ＨＳＶ＝３４９，８６，４０）、「さんま」の色情報（ＨＳＶ＝２４３，７１，５４）とすると、前記青色のＨＳＶ値の近傍（±５〜１０）になる「あじ」と「さんま」に絞り込まれる。
【００６０】
すると、前記絞り込み検索された見出し語（名称）の一覧「あじ」「さんま」が前記複合検索入力画面Ｇｆ内の空きエリアに表示され（ステップＡ３）、この見出し語（名称）の一覧において、ユーザ所望の見出し語（名称）（例えば「あじ」）が選択されると（ステップＡ４）、選択された見出し語（名称）「あじ」に対応付けられて記憶されている「あじ」の画像および解説からなる説明情報が読み出され、タッチパネル式表示部（メイン画面）１６の全画面に表示される（ステップＡ５）。
【００６１】
これにより、図鑑辞書２２ｂ４を対象として、キーワード入力エリアＥｋに入力した文字により見出し語（名称）および説明情報のテキストを全文検索すると共に、カラーパレットＣＰ上の所望の色を指定して色入力エリアＥｃに入力した色により各説明情報の画像に対応した色情報を検索することで、名称（見出し語）および画像・解説（説明情報）からなる辞書情報を簡単且つ適切に検索することができる。
【００６２】
一方、前記図６で示した複合検索入力画面Ｇｆにおいて、キーワード入力エリアＥｋへの文字入力が無く、カラーパレットＣＰの所望の色の位置を指定した色入力エリアＥｃへの色の入力だけがあった場合には（ステップＳ１２，Ｓ１３，Ｓ２１〜Ｓ２３）、図８における複合検索処理において、前記複合検索入力画面Ｇｆにて入力された内容が色のみと判断される（ステップＡ６（Ｙｅｓ））。
【００６３】
すると、前記色入力エリアＥｃに入力された色のＲＧＢ値がＨＳＶ値に非線形変換され（ステップＡ９）、このＨＳＶ値に応じて前記図鑑辞書２２ｂ４に記憶されている各見出し語（名称）および説明情報（画像・解説）に対応付けられた色情報（ＨＳＶ）が検索される（ステップＡ１０）。
【００６４】
そして、前記指定の色に応じて検索された色情報（ＨＳＶ）を有するところの見出し語（名称）が抽出され、前記複合検索入力画面Ｇｆ内の空きエリアに一覧表示される（ステップＡ３）。
【００６５】
この見出し語（名称）の一覧において、ユーザ所望の見出し語（名称）が選択されると（ステップＡ４）、選択された見出し語（名称）に対応付けられて記憶されている画像および解説からなる説明情報が読み出され、タッチパネル式表示部（メイン画面）１６の全画面に表示される（ステップＡ５）。
【００６６】
これにより、図鑑辞書２２ｂ４を対象として調べようとしている例えば動植物の名称（見出し語）が分からなくても、当該動植物の主な色をカラーパレットＣＰ上で指定し、色入力エリアＥｃに入力するだけで、その色の動植物の名称（見出し語）だけを検索して一覧表示させることができ、所望の動植物の名称（見出し語）および画像・解説からなる説明情報を簡単且つ適切に検索して表示させることができる。
【００６７】
なお、前記実施形態では、複合検索入力画面Ｇｆにおける色入力エリアＥｃに対しては、カラーパレットＣＰ上の所望の一色を指定して入力した場合について説明したが、複数の色を指定して入力してもよい。この場合、色入力エリアＥｃに入力された複数の色は、その各々の色のＨＳＶ値に変換され、図鑑辞書２２ｂ４に記憶されている各見出し語（名称）および説明情報（画像・解説）に対応付けられた色情報（ＨＳＶ）は、同各々の色のＨＳＶ値に応じてオア検索される。
【００６８】
具体的には、前記キーワード入力エリアＥｋに「果物」と文字入力して検索実行し、検索された見出し語（名称）の一覧が例えば「みかん」「青りんご」「いちご」として表示された場合に、さらに、前記色入力エリアＥｃにカラーパレットＣＰ上の２カ所を指定して緑と赤の２色を入力し検索実行すると、橙色の「みかん」は外され「青りんご」と「いちご」に絞り込まれて一覧表示されることになる。
【００６９】
なお、前記各実施形態において記載した電子辞書装置１０による各処理の手法およびデータベース、すなわち、図４のフローチャートに示す図鑑検索処理、図８のフローチャートに示す前記図鑑検索処理に伴う複合検索処理などの各手法および図鑑辞書２２ｂ４等を含む辞書データベース２２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、メイン画面１６およびサブ画面１５を備えた電子機器のコンピュータは、この外部記憶媒体２３に記憶されたプログラムを記憶装置２２に読み込み、この読み込んだプログラムによって動作が制御されることにより、前記各実施形態において説明したカラーパレットＣＰの色を直接指定することによる色情報を有した辞書データの簡単検索機能を実現し、前述した手法による同様の処理を実行することができる。
【００７０】
また、前記各手法を実現するためのプログラムのデータは、プログラムコードの形態としてネットワークＮ上を伝送させることができ、このプログラムデータを、ネットワークＮに接続されたメイン画面１６およびサブ画面１５を備えた電子機器のコンピュータに通信制御部２５によって取り込むことで、前述したカラーパレットＣＰの色を直接指定することによる色情報を有した辞書データの簡単検索機能を実現することもできる。
【００７１】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７２】
以下に、本願出願の当初の特許請求の範囲に記載された発明を付記する。
【００７３】
［１］
見出し語と当該見出し語に対応する画像を含む説明情報と該画像の色情報とを対応付けて記憶する辞書記憶手段と、
多色の色見本を表示する色見本表示手段と、
この色見本表示手段により表示された色見本に含まれる任意の色をユーザ操作に応じて指定する色指定手段と、
この色指定手段により指定された色に応じた色情報に対応付けられて前記辞書記憶手段により記憶された説明情報を検索する色指定辞書検索手段と、
前記検索手段により検索された説明情報を出力する検索情報出力手段と、
を備えたことを特徴とする情報検索装置。
【００７４】
［２］
ユーザ操作に応じて文字の入力を選択する文字入力選択手段と、
この文字入力選択手段により文字の入力が選択された場合に、前記色指定手段により指定された色を、当該色を表す文字に変換する文字変換手段と、
この文字変換手段により変換された文字を含む見出し語および説明情報を前記辞書記憶手段により記憶された見出し語および説明情報の全テキストの中から検索する全文検索手段とを備え、
前記検索情報出力手段は、前記全文検索手段により検索された前記指定の色を表す文字を含むところの説明情報を出力する、
ことを特徴とする［１］に記載の情報検索装置。
【００７５】
［３］
前記文字入力選択手段により文字の入力が選択された場合に、ユーザ操作に応じて任意の文字を入力する文字入力手段と、
この文字入力手段により入力された文字を含む見出し語および説明情報を前記辞書記憶手段により記憶され見出し語および説明情報の全テキストの中から検索すると共に、当該入力された文字を含むところの各説明情報の中から、前記色指定手段により指定された色に応じた色情報に対応付けられた説明情報を検索する複合検索手段とを備え、
前記検索情報出力手段は、前記複合検索手段により検索された説明情報を出力する、
ことを特徴とする［２］に記載の情報検索装置。
【００７６】
［４］
メイン画面とサブ画面とを備え、
前記色見本表示手段は、多色の色見本を前記サブ画面に表示させ、
前記検索情報出力手段は、検索された説明情報を前記メイン画面に表示させる、
ことを特徴とする［１］ないし［３］の何れかに記載の情報検索装置。
【００７７】
［５］
記憶部と表示部を備えた電子機器のコンピュータを制御するためのプログラムであって、
前記コンピュータを、
見出し語と当該見出し語に対応する画像を含む説明情報と該画像の色情報とを対応付けて前記記憶部に記憶させる辞書記憶手段、
多色の色見本を前記表示部に表示させる色見本表示手段、
この色見本表示手段により表示された色見本に含まれる任意の色をユーザ操作に応じて指定する色指定手段、
この色指定手段により指定された色に応じた色情報に対応付けられて前記辞書記憶手段により記憶された説明情報を検索する色指定辞書検索手段、
前記検索手段により検索された説明情報を前記表示部に表示させる検索情報出力手段、
として機能させるためのプログラム。
【符号の説明】
【００７８】
１０  …電子辞書装置（手書き入力装置）
１１  …本体ケース
１２  …蓋体ケース
１３  …ヒンジ部
１４  …キー入力部（キーボード）
１４ａ…文字入力キー
１４ｂ…辞書指定キー
１４ｃ…［訳／決定］キー
１４ｄ…［戻る］キー
１４ｅ…カーソルキー
１４ｆ…ページ送りキー
１５  …手書き入力部（サブ画面）
１５ｄ…カラー液晶表示部（バックライト付き）
１５ｔ…透明タッチパネル
１６  …タッチパネル式表示部（メイン画面）
１６ｄ…カラー液晶表示部（バックライト付き）
１６ｔ…透明タッチパネル
２１  …ＣＰＵ
２２  …記憶装置
２２ａ…装置制御プログラム
２２ｂ…辞書データベース
２２ｂ１…国語辞書
２２ｂ２…英和辞書
２２ｂ３…和英辞書
２２ｂ４…図鑑辞書
２３  …外部記憶媒体
２４  …記憶媒体読み書き部
２５  …外部インターフェイス
２６  …ＲＡＭ
２６ａ…表示データメモリ
２６ｂ…検索データメモリ
３０  …Ｗｅｂサーバ
Ｎ    …通信ネットワーク
Ｇ    …検索語入力画面
Ｅｊ  …［日本語］検索文字入力エリア
Ｅｅ  …［英語］検索文字入力エリア
Ｎ１，Ｎ２…手書き入力エリア
Ｔ    …［訂正］キー
Ｇｆ  …複合検索入力画面
Ｅｋ  …キーワード入力エリア
Ｅｃ  …色入力エリア
ＣＰ  …カラーパレット
【図１】
0005724430.tif 000002
【図２】
0005724430.tif 000003
【図３】
0005724430.tif 000004
【図４】
0005724430.tif 000005
【図５】
0005724430.tif 000006
【図６】
0005724430.tif 000007
【図７】
0005724430.tif 000008
【図８】
0005724430.tif 000009